(57)【要約】【課題】加工が容易で安価な回転研削工具の取付装置を提供する【解決手段】軸方向へ伸びる雌ねじ２Ｃが先端部に形成されたフランジ付き砥石駆動軸２と、貫通孔３ｃがあけられてこの貫通孔３ｃに砥石駆動軸２が固定される砥石受け３と、砥石受け３の貫通孔３ｃに嵌められて砥石受け３と協働して砥石７を挟む砥石当て金５と、砥石駆動軸２の雌ねじ２ｃにねじ込まれて砥石受け３および砥石当て金５を砥石駆動軸に取り付けるボルト７と、砥石受け３がボルト７とともに回転するのを防止する砥石受け共回り防止手段とを備えている。砥石受け共回り防止手段が、砥石駆動軸２のフランジ２ａに形成された凹部２ｅと、砥石受け３に形成されてフランジ２の凹部２ｅと嵌りあう凸部３ｄを有している。【選択図】図３ 
2005153079.tif 000002
【特許請求の範囲】
【請求項１】
軸方向へ伸びる雌ねじが先端部に形成されたフランジ付き砥石駆動軸と、
貫通孔があけられてこの貫通孔に砥石駆動軸が通される砥石受けと、
砥石受けの貫通孔に嵌められて砥石受けと協働して砥石を挟む砥石当て金と、
砥石駆動軸の雌ねじにねじ込まれて砥石受けおよび砥石当て金を砥石駆動軸に取り付けるボルトと、
砥石受けがボルトとともに回転するのを防止する砥石受け共回り防止手段とを備え、
共回り防止手段が、砥石駆動軸のフランジに形成された凸部または凹部の一方と、
砥石受けに形成されてフランジの凸部または凹部と嵌りあう凹部または凸部を有している、回転研削工具の取付装置。
【請求項２】
砥石当て金がボルトとともに回転するのを防止する砥石当て金共回り防止手段を備え、
砥石当て金共回り防止手段が、駆動軸の先端を切り落とすことにより形成された半円弧状突部と、砥石当て金に形成されて駆動軸の半円弧状突部と係合する半円弧状突部とを有している、請求項１記載の回転研削工具の取付装置。
【発明の詳細な説明】
【技術分野】
【０００１】
本発明は、回転研削工具の取付装置に関する。例えば、グラインダに研削砥石を取り付けるための回転研削工具の取付装置に関する。
【背景技術】
【０００２】
従来の回転研削工具の取付装置として特表平８−５１０１８７に記載のものがある（特許文献１参照）。
【０００３】
回転研削工具の取付装置は、軸方向へ伸びる雌ねじが下端部に形成されかつ先端外周側がテーパ状となされた砥石駆動軸と、駆動軸先端のテーパ状部に対応する貫通穴があけられた砥石受けと、砥石受けの貫通孔に嵌められる円筒状部を有し、砥石受けと協働して砥石を挟む砥石当て金と、砥石駆動軸の雌ねじにねじ込まれて砥石受けと砥石当て金の間に挟んだ砥石を駆動軸に固定するボルトとを備えている。
【０００４】
そして、砥石駆動軸および砥石受けにはキー溝が形成されており、キー溝にキーを配することで砥石受けと駆動軸が一体に回転するようになっている。
【特許文献１】特表平８−５１０１８７号公報
【発明の開示】
【発明が解決しようとする課題】
【０００５】
上記従来の回転研削工具の取付装置は、駆動軸の下端部および砥石受けの貫通孔を、それぞれテーパ状に形成する必要がある。さらに、駆動軸および砥石受けの対応する位置にキー溝を形成する必要がある。このため、加工に手間がかかり装置が高価になるという問題がある。
【０００６】
さらに、キー溝にキーを配した状態で駆動軸に砥石受けを取り付けるのは作業がしづらいという問題もある。
【０００７】
また、ボルトの締付力によって砥石当て金の駆動軸に対する回転を防止するようになっているため、ボルトを強く締め付ける必要があるという問題もある。
【０００８】
本発明は上記問題を解決することを課題とし、加工が容易で安価な回転研削工具の取付装置を提供することを目的とする。
【０００９】
また、簡単に回転研削工具の取替えができる取付装置を提供することを目的とする。
【課題を解決するための手段】
【００１０】
上記課題を解決するために、本発明の回転研削工具の取付装置は、軸方向へ伸びる雌ねじが先端部に形成されたフランジ付き砥石駆動軸と、貫通孔があけられてこの貫通孔に砥石駆動軸が固定される砥石受けと、砥石受けの貫通孔に嵌められて砥石受けと協働して砥石を挟む砥石当て金と、砥石駆動軸の雌ねじにねじ込まれて砥石受けおよび砥石当て金を砥石駆動軸に取り付けるボルトと、砥石受けがボルトとともに回転するのを防止する砥石受け共回り防止手段とを備え、共回り防止手段が、砥石駆動軸のフランジ下端部に形成された凸部または凹部の一方と、砥石受け上端部に形成されてフランジの凸部または凹部と嵌りあう凹部または凸部からなる、ものである。
【００１１】
一方、砥石当て金がボルトとともに回転するのを防止する砥石当て金共回り防止手段とを備え、砥石当て金共回り防止手段が、駆動軸の先端に形成された半円弧状突部と、砥石当て金に形成された半円弧状突部とを有している、回転研削工具の取付装置装置もある。
【発明の効果】
【００１２】
請求項１記載の回転研削工具の取付装置では、駆動軸のフランジに凹部または凸部を、砥石受けに凹部または凸部に嵌める凸部または凹部を形成するのみで、砥石受けがボルトと共回りするのを防止することができ、回転研削工具の取付装置の構成が簡単で安価になる。また、砥石受けの共回りを容易に防止することができる。
【００１３】
請求項２記載の回転研削工具の取付装置では、駆動軸の先端に半円弧状突部を形成し、砥石当て金に半円弧状突部とを形成し、両突部を係合させるのみで、砥石当て金がボルトと共回りするのを防止することができ、砥石受けと砥石当て金との間に砥石を確実に保持できる。
【発明を実施するための最良の形態】
【００１４】
以下、図１〜図４を参照して本発明の回転研削工具の取付装置の一実施形態について説明する。図１には、本発明の回転研削工具の取付装置をエアグラインダＧに適用した例が示されている。エアグラインダＧの構成は公知のものであるので説明は省略し、回転研削工具の取付装置について述べる。
【００１５】
回転研削工具の取付装置１は、砥石駆動軸２と、駆動軸２に嵌め被せられた砥石受け３と、砥石受け３と協働して砥石７を挟持している砥石当て金５と、砥石当て金５を砥石駆動軸２に取り付けているボルト６とを備えている。
【００１６】
駆動軸２の長さ方向下寄りにはフランジ２ａが形成され、フランジ２ａの下方外周に環状溝２ｂが形成されている。また、フランジ２ａの下面部には、互いに対向する弓形の切り欠き２ｅが形成されている。さらに、駆動軸２の下部には雌ねじ２ｃが形成されている。そして、駆動軸２の下端面に下方へ突出する断面半円弧状突部２ｄが形成されている。断面半円弧状突部２ｄは、駆動軸２の下端部の一部を半円弧状に切り落とすことにより形成されたものである。
【００１７】
砥石受け３は、正六角形状基部３ａと、基部３ａから上方に突出した円筒状部３ｂとよりなる。そして、中心に両部３ａ、３ｂを貫通する貫通孔３ｃがあけられており、この貫通孔３ｃに駆動軸２が通される。貫通孔３ｃの上端部には、駆動軸２の切り欠き２ｅの断面形状に対応した弓形突部３ｄが形成され、駆動軸２を貫通孔３ｃに通したさい、突部３ｄが駆動軸2の切り欠き２ｅに嵌って、駆動軸２に対して砥石受け３が回転しないようになっている。すなわち砥石受け３がボルト６締付時に共回りしないようになっている。
【００１８】
さらに、貫通孔３ｃの内周面には環状溝３ｅが形成されている。環状溝３ｅは、駆動軸２を貫通孔３ｃに通したさいに、駆動軸２外周の環状溝２ｂと対応する位置にある。そして、環状溝２ｂ、３ｅで囲まれる空間にＯリング８を位置させ、駆動軸２から砥石受け３が抜けるのを防止するようになっている。
【００１９】
砥石当て金５は、円板状基部５ａと、円板状基部５ａから上方に突出した円筒状部５ｂとよりなり、両部５ａ、５ｂを貫通する貫通孔５ｃがあけられている。円筒状部５ｂの外径は、駆動軸２の下部の外径と同じ大きさであり、円筒状部５ｂを、砥石受け３の貫通孔３ｃに嵌め入れることができるようになっている。
【００２０】
円筒状部５ｂの上端部には半円弧状突部５ｄが形成されており、円筒状部５ｂを砥石受け３の貫通孔３ｃに嵌め入れたさい、駆動軸２の半円弧状突部２ｄと、砥石当て金５の半円弧状突部５ｄとが係合し、駆動軸２に対して砥石当て金５が回転しないようになっている。すなわち砥石当て金５がボルト６と共回りしないようになっている。なお、砥石当て金５の貫通孔５ｃの下端部はボルト６の頭が入るようになっている。
【００２１】
上記のような構成を有する回転研削工具の取付装置では、砥石受け３を駆動軸２に固定した状態で砥石７を砥石受け３の下面に当てる。次いで、砥石７と砥石受け３の貫通孔３ｃに砥石当て金５を嵌める。そして、ボルト６を砥石当て金５の貫通孔５ｃに通し、駆動軸２の雌ねじ２ｃにねじ込んで砥石当て金５を駆動軸に取り付ける。このとき駆動軸２と砥石受け３、砥石当て金５にはそれぞれ係合部が設けられているので砥石受け３および当て金５はボルトと共回りせずしっかりと締め付けることができる。このようにして砥石受け３と砥石当て金５により砥石７を挟持する。
【００２２】
砥石７を取り外すさいは、ボルト６を緩めて砥石当て金５とともに砥石７をはずす。
【００２３】
なお、本発明の回転研削工具の取付装置は、上記実施形態のものに限定されない。例えば、上記実施形態では、切り欠き２ｅが二つ形成されているが、切り欠き２ｅは一つでもよい。この場合、砥石受け３の突部３ｄも一つとなるのは当然である。また、駆動軸と砥石当て金の係合部も半円弧状同士である必要はなく、両者係合時に円となる形状であればよい。
【図面の簡単な説明】
【００２４】
【図１】本発明の回転研削工具の取付装置を適用したエアグラインダーの縦断面図である。
【図２】図１の要部の拡大図である。
【図３】回転研削工具の取付装置の斜視図である。
【図４】駆動軸の底面図である。
【符号の説明】
【００２５】
１    回転研削工具の取付装置
２    砥石駆動軸
２ａ  フランジ
２ｂ  環状溝
２ｃ  雌ねじ
２ｄ  断面半円弧状突部
２ｅ  切り欠き
３    砥石受け
３ａ  基部
３ｂ  円筒状部
３ｃ  貫通孔
３ｄ  断面弓形突部
３ｅ  環状溝
５    砥石当て金
５ａ  円板状基部
５ｂ  円筒状部
５ｃ  貫通孔
５ｄ  断面半円弧状突部
６    ボルト
７    砥石
８    Ｏリング
Ｇ    グラインダ
【図１】
2005153079.tif 000003
【図２】
2005153079.tif 000004
【図３】
2005153079.tif 000005
【図４】
2005153079.tif 000006